【事件の表示】
　特願２００６−１４８５５４「データ入力方法及びシステム」拒絶査定不服審判事件〔平成１８年１２月１４日出願公開、特開２００６−３４０３５５〕について、次のとおり審決する。
【結　論】
　本件審判の請求は、成り立たない。
【理　由】
１．手続の経緯と本願発明 
　本願は、平成１８年　５月２９日（パリ条約による優先権主張２００５年　５月３０日、（ＲＵ）露国）を出願日とする出願であって、平成２２年　１月１５日付けで拒絶査定がなされ、これに対し、平成２２年　５月１７日付けで拒絶査定に対する審判請求がなされるとともに同日付けで手続補正がなされ、その後、平成２４年　１月　４日付けで当審から拒絶理由が通知され、これに対して、平成２４年　４月１０日付けで手続補正がなされたものである。
　特許請求の範囲の請求項１に係る発明（以下、「本願発明」という。）は、明細書及び図面の記載からみて、平成２４年　４月１０日付け手続補正書によって補正された特許請求の範囲の請求項１に記載された以下のとおりのものと認める。 
　
「【請求項１】
　ユーザーによりキーボードのキーの組合せが同時に押下される時のデータ入力方法において、
　キーの組合せの各々は、前記キーボード内に設けられた符号化部によって、前記キーの組合せが同時に押下される時に発生する固有コードと関連付けられるステップと、
　前記発生した固有コードをコード変換部に提供し、前記コード変換部でユーザーの選好度の高い一つ以上の出力コードに変換させるステップと、
　前記変換された出力コードをプロセッサーで処理した後、ユーザーが所望の記号の選択及び確認が可能であるように表示部に表示するステップと、を含み、
　前記コード変換部は、複数の固有コードを選好度の高い同一の出力コードに対応付け、
　前記固有コードと選好度の高いコードとの対応関係を示す一致テーブルを含むユーザーに対応する個別プログラムを外部装置から前記コード変換部に記録する
　ことを特徴とするデータ入力方法。」 
　 
２．引用例
（１）これに対して、当審の拒絶理由に引用された特開２００４−３５５２８９号公報（以下、「引用例１」という。）には、「学習型入力判定回路を有する携帯電話機」として、図面とともに以下の事項が記載されている。
 　
イ．「【０００１】
【発明の属する技術分野】
本発明は、キーボタンを有する携帯電話機に関し、特に携帯電話機における押下キーの判定方法に関する。」（２頁）
　
ロ．「【００１０】
本発明は、上記問題点に鑑み、小型キーが近接して配置された携帯電話機において、複数のキーが同時に押下された場合に、操作者の意図しているキーの判定を効率的に行う手段を提供することにある。」（３頁）
　
ハ．「【００１２】
本発明の学習型入力判定回路を有する携帯電話機は、小型キーが近接して配置されたキー操作部を有する携帯電話機において、装置形状、操作者の指の太さ、操作者の押下癖により目的とするキー以外を同時に押下することが多い場合、同時入力された複数のキー押下から目的とする可能性の最も高いキーを、過去に入力されたキー入力パターンから学習し判定して出力することにより、キー入力の効率を高めるものである。」（４頁）
　
ニ．「【００１３】
【発明の実施の形態】
図１は、本発明の携帯電話機における、キー判定に関連する部分を抽出して示した概略ブロック構成図である。・・・（中略）・・・。
【００１４】
キー操作部１０にはテンキー等からなる複数のキーボタンが配置されており、キー集合部１１は、押下されたキーを検出キー情報として出力する。その際、同時に複数のキーが押下されたときには、押下された全てのキーを検出キー情報として出力する。複数のキーが同時に押下されたか否かの判定は、例えば、最初に押下を検出したキーから所定の時間（例えば１００ｍｓｅｃ）内に押下が検出されたその他の全てのキーを同時押下キーと判定する方法等により行う。
【００１５】
キー判定部１２は、キー集合部１１からの検出キー情報を元に、検出キー情報が１つのキーである場合にはそのキーを押下キーと判定して装置制御部１３へ出力し、検出キー情報が２つ以上のキーである場合には、この２つ以上のキーからなる検出キー情報と同じキー入力パターンにおける確定キー頻度情報を判定記憶部１４から読み出し、最も頻度の高いキーを判定キーとして装置制御部１３へ出力する。その際、判定記憶部１４に同じキー入力パターンにおける確定キー頻度情報が未だ記録されていない場合には、それらのキーの中から適宜のキー、例えば最初に押下が検出されたキーを判定キーとして装置制御部１３へ出力する。
【００１６】
装置制御部１３は、キー判定部１２から入力された判定キー出力を表示部１５に表示するための制御を行うとともに、表示部１５に表示されたキー判定部１２の出力結果が操作者の意図したキーであった場合、その結果を判定記憶部１４へ記録する。表示部１５に表示されたキー判定部１２の出力結果が操作者の意図したキーでなかった場合、その結果を破棄して表示部１５の当該キー情報の表示を削除し、再度入力されたキー出力に基づいてキー情報の表示及び判定記憶部１４への記録制御を行う。
【００１７】
判定記憶部１４は、過去に発生した２つ以上のキーが同時に押された場合の同時キー押下パターンに対するキー判定において確定されたキーの頻度情報を、同時キー押下パターン種別毎にそれぞれ対応させて記憶する。」（４頁）
　
ホ．「【００１８】
図２は、携帯電話機におけるキーボタンの配置の一例を示す図であり、図３〜図４は、本発明のキー判定動作を説明するための図である。以下、本発明の動作について、図１〜図４を参照して説明する。
【００１９】
携帯電話機のキーは狭い領域に近接して配置されているので、キー操作時に一つのキーを押下しても近接のキーを同時に押下することが多い。例えば第３図に示すように、キー１を押下した場合に近接のキー２を同時に押下する場合とキー４を同時に押下する場合等がある。キー１を押下した場合考えられる同時押下キーの組み合わせは第４図に示す通りとなる。
【００２０】
例えば、キー１を押下したときに、キー１とキー２を同時に押下してしまった場合、キー集合部１１よりキー１とキー２の２つのキー押下の信号がキー判定部１２に入力される。一方、判定記憶部１４には、同時に押下された場合の第４図に示すキーの組み合わせ（同時キー押下パターン）に従い、各同時キー押下パターンにおける過去の複数回の判定結果が記憶されている。
【００２１】
キー判定部１２は、判定記憶部１４からキー１とキー２の同時押下の場合における過去の複数の判定結果を読み出し、その記憶内容から、最も判定結果の多いキー判定を選択し装置制御部１３へ出力する。装置制御部１３は出力されたキー判定に従い、操作者の意図したとおりか確認するために表示部１５に表示させる。操作者がクリヤキー以外のキーを続けて押下した場合には意図したとおりのキー入力が行われたと判定し、判定記憶部１４の記憶内容をこの確定したキー情報により更新する。
【００２２】
意図していないキーが判定されて表示された場合には、操作者はクリヤキーを押下して再度キー押下を行う。クリやキーが押下された場合には、装置制御部１３は表示部１５に表示されている判定キーを消去し、再度押下されたキー情報により判定記憶部１３の記憶内容を更新する。
【００２３】
上記の例において、判定記憶部１４に記憶されているキー１とキー２の同時押下パターン「１，２」の過去の判定結果が、例えば「１」が７回、「２」が３回である場合、キー判定部１２は、「１」をキー判定結果として出力する。装置制御部１３は出力されたキー判定に従い、操作者の意図したとおりか確認するために表示部１５に「１」を表示させる。意図したとおりのキーであれば判定記憶部１４における同時押下パターン「１，２」の過去の判定結果の「１」を８回に更新する。
【００２４】
一方、意図していたキーが「２」である場合には、操作者はクリヤキーを押下して再度キー「２」を押下する。クリやキーが押下された場合には、装置制御部１３は表示部１５に表示されている判定キー「１」を消し、次に押下されたキー「２」を判定キーとしてキー判定部１２から受けたとき、判定記憶部１４における同時押下パターン「１，２」の過去の判定結果の「２」を４回に更新する。」（４〜５頁）
　
　上記引用例１の記載及び図面を参照すると、上記イ．ロ．ハ．の記載から、引用例１には、「操作者」により複数の「キー」が「同時に押下された」時のキー入力方法が記載されている。
　上記ニ．【００１４】の記載から、「キー操作部１０」は「複数のキーボタン」を有するものであって、同記載の「キー集合部１１は、・・・同時に複数のキーが押下されたときには、押下された全てのキーをキー検出情報として出力する」、及び、同ホ．【００２０】の「例えば、キー１を押下したときに、・・・キー１とキー２を押下してしまった場合、キー集合部１１よりキー１とキー２の２つのキー押下の信号がキー判定部１２に入力される。」という記載から、「キー集合部１１」は複数のキーが同時に押下されるときに押下されたキーに関する情報を発生し、「キー判定部１２」に提供するものである。
　さらに、上記ニ．【００１５】の「キー判定部１２は、・・・検出キー情報が２つ以上のキーである場合には、この２つ以上のキーからなる検出キー情報と同じキー入力パターンにおける確定キー頻度情報を判定記憶部１４から読み出し、最も頻度の高いキーを判定キーとして装置制御部１３へ出力する。」、及び、同ホ．【００２１】の「キー判定部１２は、判定記憶部１４からキー１とキー２の同時押下の場合における過去の複数の判定結果を読み出し、その記憶内容から、最も判定結果の多いキー判定を選択し装置制御部１３へ出力する。」という記載から、「キー判定部１２」は「キー集合部１１」が発生した押下されたキーに関する情報を「最も頻度の高いキー」あるいは「最も判定結果の多いキー」とし、「装置制御部１３」に出力するものであって、押下されたキーに関する情報を「最も頻度の高いキー」あるいは「最も判定結果の多いキー」とすることは、キーに関する情報を変換するものといえる。
　また、上記ニ．【００１６】及びホ．【００２３】、【００２４】の記載から、「判定記憶部１４」内における「頻度情報」あるいは「判定結果」は、複数キーが同時押下されたときの「操作者」が意図したキーを示す情報といえるので、「最も頻度の高いキー」あるいは「最も判定結果の多いキー」は「操作者」が意図することが最も多いキーということができる。
　続いて、上記ニ．【００１６】の「装置制御部１３は、キー判定部１２から入力された判定キー出力を表示部１５に表示するための制御を行うとともに、表示部１５に表示されたキー判定部１２の出力結果が操作者の意図したキーであった場合、・・・表示部１５に表示されたキー判定部１２の出力結果が操作者の意図したキーでなかった場合、・・・」及び同ホ．【００２１】の「装置制御部１３は出力されたキー判定に従い、操作者の意図したとおりか確認するために表示部１５に表示させる」という記載から、「キー判定部１２」からの出力は、「装置制御部１３」で表示のための処理がなされ、「操作者」が意図したキーか否か確認できるように「表示部１５」に表示されることが明らかである。
　同様に、上記ニ．【００１６】の「表示部１５に表示されたキー判定部１２の出力結果が操作者の意図したキーでなかった場合、その結果を破棄して表示部１５の当該キー情報の表示を削除し、再度入力されたキー出力に基づいてキー情報の表示及び判定記憶部１４への記録制御を行う。」及び同ホ．【００２２】の「意図していないキーが判定されて表示された場合には、操作者はクリヤキーを押下して再度キー押下を行う。」という記載から、「操作者」が意図したキーを選択できるように「表示部１５」に表示するものともいえる。
　そして、上記ホ．に記載されるように、上記「キー操作部１０」、「キー集合部１１」、「キー判定部１２」、「装置制御部１３」、「表示部１５」の一連の動作によって、キー入力が確定することから、各部における動作はステップということができる。
　したがって、上記引用例１には、以下の発明（以下、「引用発明」という。）が記載されている。 
　
　「操作者によりキー操作部１０の複数のキーが同時に押下されたときのキー入力方法において、
　複数のキーが同時に押下されると、キー集合部１１によって、押下されたキーに関する情報を発生するステップと、
　前記発生したキーに関する情報をキー判定部１２に提供し、前記キー判定部１２で判定記憶部１４の過去の判定結果を用いて操作者の意図することが最も多いキー出力に変換するステップと、
　前記変換されたキー出力を装置制御部１３で処理した後、操作者が意図したキーの選択及び確認ができるように表示部１４に表示するステップと、
　を含むキー入力方法。」
　
（２）同じく当審の拒絶理由に引用された特開平４−２９６９２１号公報（以下、「引用例２」という。）には、「キー入力装置」として、図面とともに以下の事項が記載されている。
　
イ．「【要約】
【目的】・・・（中略）・・・。
【構成】ＲＡＭ１０はホストコンピュータ２によりダウンロードされる特定変換テーブルを格納する。CPU８は、RAM１０に特定変換テーブルがダウンロードされた場合に、キーマトリックス回路６から出力されるキー検出信号を特定変換テーブルを使用して所定のスキャンコードに変換し、それ以外ではRAM１０に予め格納された標準変換テーブルを使用して標準スキャンコードに変換する。・・・（中略）・・・。」（１頁） 
　
ロ．「【０００７】本発明の目的は、コンピュータの仕様に応じて、結果的に標準仕様のキー配列と特定仕様のキー配列とを自在に変更できるようにして、システムの多様化を図ることができるキー入力装置を提供することにある。」（２頁２欄）
　
ハ．「【００１４】先ず、標準モードでは、キースイッチが操作されると、キーマトリックス回路６は入力操作されたキースイッチに対応するキー検出信号を、インターフェース７を通じて出力する（図２のステップＳ１のＮＯ、Ｓ５のＹＥＳ）。
【００１５】ＣＰＵ８は、ＲＡＭ１０に格納された標準変換テーブルを使用して、キー検出信号をスキャンコードに変換する（ステップＳ６のＮＯ、Ｓ７）。入出力インターフェース１１は、変換されたスキャンコードをホストコンピュータ２側に送信する（ステップＳ１０）。」（３頁３〜４欄）
　
ニ．「【００１７】次に、ホストコンピュータ２から命令が送信されると（ステップＳ１のＹＥＳ）、キーボード１のＣＰＵ８は命令を解読し、ダウンロード命令か否かを判定する（ステップＳ２）。ダウンロード命令であれば（ステップＳ２のＹＥＳ）、ＣＰＵ８は、ホストコンピュータ２から入出力インターフェース４を通じて送信される特定変換テーブルのダウンロードを実行する制御を行なう（ステップＳ３）。
【００１８】このダウンロードにより、図３の（Ａ）に示すように、特定変換テーブルはＲＡＭ１０に格納される。このとき、ＣＰＵ８は特定変換テーブルのダウンロードを示すフラグをＲＡＭ１０にセットする（ステップＳ４）。ここで、特定変換テーブルは、ホストコンピュータ２において、例えば標準ＯＳが特定ＯＳに変更された場合に、その特定ＯＳに応じたスキャンコードを変換するためのテーブルである。言い換えれば、キーボード１のキー配列が特定ＯＳに対応するキー配列に変更されたことになる。」（３頁４欄）
　
　上記引用例２の記載及び図面を参照すると、上記引用例２には、以下の技術（以下、「技術事項２」という。）が記載されている。 
　
　「キー入力に対する出力コードの変換処理を行う装置において、コード変換テーブルを外部装置から前記装置に記録（ダウンロード）することにより、キー入力により発生するコードを変更できるようにする」技術。
　
３．対比 
　本願発明と引用発明を比較すると、引用発明の「操作者」、「キー操作部１０」及び「キー集合部１１」、「装置制御部１３」、「表示部１５」は、それぞれ本願発明の「ユーザー」、「キーボード」、「プロセッサー」、「表示部」にそれぞれ相当する。
　引用発明の「複数のキーが同時に押下された」、「複数のキーが同時に押下される」と本願発明の「キーの組合せが同時に押下される」は、実質的な差違はない。
　また、引用発明の「キーに関する情報」と本願発明の「固有コード」とは、「キーに関する情報」という点で一致するので、引用発明の「複数のキーが同時に押下されると」、「押下されたキーに関する情報を発生する」ことと本願発明の「キーの組合せの各々は」、「前記キーの組合せが同時に押下される時に発生する固有コードと関連付けられる」ことは、「キーの組み合わせの各々は」、「キーの組み合わせが同時に押下される時に発生するキーに関連する情報と関連付けられる」という点で一致する。
　引用発明の「キー判定部１２」は「判定記憶部１４」の「過去の判定結果を用いて」「キーに関する情報」を所定の「キー出力」に変換するので、「キー判定部１２」と「判定記憶部１４」は併せて、「変換部」といえ、引用発明の「キー判定部１２」及び「判定記憶部１４」と本願発明の「コード変換部」とは、「変換部」という点で一致する。
　そして、引用発明の「操作者の意図することが最も多い」は本願発明の「ユーザーの選好度の高い」に相当し、本願発明の「ユーザーの選好度の高い１つ以上の出力コード」は「出力コード」が「１つ」の場合も含むことから、引用発明の「操作者の意図することが最も多いキー出力」と本願発明の「ユーザーの選好度の高い１つ以上の出力コード」とは、いずれも「ユーザーの選好度の高い１つ以上の出力情報」という点で一致する。
　さらに、引用発明の「意図したキー」、「キー入力」と本願発明の「所望の記号」、「データ入力」は、実質的な差違はない。
　したがって、本願発明と引用発明は、以下の点で一致ないし相違する。
　
＜一致点＞ 
　「ユーザーによりキーボードのキーの組み合わせが同時に押下される時のデータ入力方法において、
　キーの組み合わせの各々は、前記キーボードによって、前記キーの組み合わせが同時に押下される時に発生するキーに関する情報に関連付けられるステップと、
　前記発生したキーに関連する情報を変換部に提供し、前記変換部でユーザーの選好度の高い１つ以上の出力情報に変換させるステップと、
　前記変換された出力情報をプロセッサーで処理した後、ユーザーが所望の記号の選択及び確認が可能であるように表示部に表示するステップと、
　を含むデータ入力方法。」
　
＜相違点＞ 
（１）「キーに関する情報」に関し、本願発明では「固有コード」であり、「キーボード内に設けられた符号化部」によって「固有コード（キーに関連する情報）と関連付けられる」のに対し、引用発明では当該構成が明示されていない点。
　
（２）「変換部」及び「出力情報」に関し、本願発明では「コード変換部」及び「出力コード」であり、当該「コード変換部」は「複数の固有コードを選好度の高い同一の出力コードに対応付け」るのに対し、引用発明では「キー判定部１２」と「判定記憶部１４」及び「キー出力」であり、当該「キー判定部１２」と「判定記憶部１４」は「キーに関する情報」を「操作者の意図することが最も多いキー出力に変換する」点。
　
（３）本願発明では「固有コードと選好度の高いコードとの対応関係を示す一致テーブルを含むユーザーに対応する個別プログラムを外部装置から前記コード変換部に記録する」のに対し、引用発明では当該構成を有していない点。
　
４．検討 
　まず、上記相違点（１）について検討すると、キーボード等における１つのキーあるいは複数のキーの押下に対して固有のコードを発生することは周知（例えば、特開昭６４−８８６１８号公報（２頁右上欄１６行〜左下欄４行）、特開平４−１３９５２０号公報（２頁右上欄１５〜１９行、３頁右上欄８行〜左下欄７行）、特開平３−２３３６２２号公報（３頁左上欄５行〜左下欄２０行）参照。）であって、引用発明において、キーが押下されると発生する「キーに関する情報」を「固有コード」とし、複数のキーが同時に押下されると「固有コード」を発生するようにすること、及び、キー入力に対して「固有コード」を発生するためにキーボードに「符号化部」を設けることは、周知技術に基づいて当業者が適宜なし得ることである。
　
　次に、上記相違点（２）について検討すると、前記「２．引用例」「（１）ホ．」の【００１９】及び図３、４には、１つのキーを押下した場合に考えられる同時押下キーの組み合わせとして複数のパターンがあることが記載され、同【００１７】には、「判定記憶部１４」は、同時に押下されたキーのパターン毎に確定されたキーの頻度情報が記憶される旨記載されていることから、引用発明の「キー判定部１２」及び「判定記憶部１４」においても同時押下されたキーの複数のパターンに対して同一のキー出力を対応付けることがあり得ることは明らかである。
　また、上記相違点（１）の検討において記載したように、押下されたキーに対して「固有コード」を発生することは周知であり、引用発明の「キーに関する情報」を「固有コード」とすることは適宜なし得ることであるから、引用発明において、同時に押下されたキーの複数のパターンがそれぞれ「固有コード」を発生するようにし、当該「固有コード」を「判定記憶部１４」を用いて「キー判定部１２」が「操作者が意図することが最も多い」コードに変換し、変換されたコードを出力するようにすることは、当業者が容易になし得ることである。
　したがって、引用発明の「キー判定部１２」と「判定記憶部１４」を「キー変換部」とし、同「キー出力」を「出力コード」とすること、当該「キー判定部１２」と「判定記憶部１４」が「複数の固有コードを選好度の高い同一の出力コードに対応付け」るようにすることは、当業者が容易に想到し得ることである。
　
　さらに、上記相違点（３）について検討すると、ユーザーの多様な利用や複数のユーザーによる共用に対応するために、キーと当該キーが押下されたときに発生する機能、数字及び文字等の出力あるいはコードとを対応させるテーブルを外部装置からダウンロードし、キーと当該キーが発生するコードやデータとの対応を変更し、キーに割り当てられる機能、数字及び文字等を変更することは、上記技術事項２として記載したように周知（この他にも、例えば、特開２００１−３０９０１４号公報（【特許請求の範囲】【請求項５】、【０１１０】〜【０１１７】、【０１２４】、【０１２５】）、特開平５−２２４８０１号公報（【０００３】、【０００４】、【００１７】、【００１８】）、特開平４−２４１６１３号公報（【００１１】、【００１３】、【００１５】、【００１６】）参照。）のことである。
　そして、引用発明において、「判定記憶部１４」の頻度情報や過去の判定結果を、発生したキーに関する情報と操作者の意図することが最も多いキー出力の対応関係を示すテ−ブルとすることは適宜なし得ることであり、上記相違点（１）（２）の検討において記載したように、引用発明において「キーに関する情報」を「固有コード」とすることも適宜なし得ることであるから、本願発明の「固有コードと選好度の高いコードとの対応関係を示す一致テーブルを含むユーザーに対応する個別プログラムを外部装置から記録する」ようにすることは、当業者であれば引用発明に上記技術事項２及び周知技術を適用して容易に想到し得ることである。
　
　そして、本願発明の作用効果も上記引用発明１、同技術事項２及び周知技術から当業者が予測できる範囲のものである。 
　
５．むすび 
　以上のとおり、本願発明は、上記引用例１に記載された発明、同引用例２に記載された技術及び周知技術に基づいて、当業者が容易に発明をすることができたものと認められるから、特許法第２９条第２項の規定により特許を受けることができない。 
　
　よって、結論のとおり審決する。